(57)【要約】  本発明の取り付け式照明具２は、歩行用杖等の棒状部分５１０に取り付け可能な取り付け部１０と、取り付け部１０と接続された回動部１４と、回動部１４と接続され、棒状部分５１０に沿ってたたまれる閉状態及び前記棒状部分から突出する開状態とを取ることが可能な本体部７０と、本体部７０に内蔵された電源部３０と、本体部７０に配設され、電源部３０からの電力で点灯する照明部８０，１００とを備え、照明部８０，１００は、本体部７０が閉状態を取るときには点灯可能状態となり、本体部７０が開状態を取るときには常に消灯状態となる。  本発明の取り付け式照明具２によれば、本体部７０が閉状態を取るときには点灯可能状態となり、本体部７０が開状態を取るときには常に消灯状態となるため、細かいスイッチを操作しなくても本体部自体を開閉することで取り付け式照明具を点灯及び消灯させることが可能となる。
2014034716.tif 000002
【特許請求の範囲】
【請求項１】
歩行用杖等の棒状部分に取り付け可能な取り付け部と、
前記取り付け部と接続された回動部と、
前記回動部と接続され、前記棒状部分に沿ってたたまれる閉状態及び前記棒状部分から突出する開状態とを取ることが可能な本体部と、
前記本体部に内蔵された電源部と、
前記本体部に配設され、前記電源部からの電力で点灯する照明部とを備え、
前記照明部は、前記本体部が閉状態を取るときには点灯可能状態となり、前記本体部が開状態を取るときには常に消灯状態となることを特徴とする取り付け式照明具。
【請求項２】
請求項１に記載の取り付け式照明具において、
前記本体部は、板状の形状を有し、かつ、前記取り付け部を取り付ける前記棒状部分の軸を第１軸とする場合、前記本体部が開状態を取るとき前記第１軸に対して垂直な方向に突出するように構成されていることを特徴とする取り付け式照明具。
【請求項３】
請求項１又は２に記載の取り付け式照明具において、
前記取り付け式照明具は、前記本体部に対して常に所定の力を付勢する弾性部材をさらに備え、
前記本体部は、前記弾性部材からの所定の力以外に力がかかっていない場合には、閉状態を取ることを特徴とする取り付け式照明具。
【請求項４】
請求項１〜３のいずれかに記載の取り付け式照明具において、
前記取り付け式照明具は、前記本体部の先端部に配置されたローラー部をさらに備えることを特徴とする取り付け式照明具。
【請求項５】
請求項１〜４のいずれかに記載の取り付け式照明具において、
前記照明部は、前記取り付け式照明具の一方側を照明する一方側照明部と、前記一方側とは反対の他方側を照明する他方側照明部とからなることを特徴とする取り付け式照明具。
【請求項６】
請求項５に記載の取り付け式照明具において、
前記一方側照明部は点灯時に白色光を射出するように構成され、
前記他方側照明部は点灯時に赤色光を射出するように構成されていることを特徴とする取り付け式照明具。
【請求項７】
請求項５又は６に記載の取り付け式照明具において、
前記本体部は、前記回動部と接続されている箇所から前記照明部が配設されている箇所までの間に回転軸を有し、前記一方側照明部と前記他方側照明部とが入れ替わるように回転可能であることを特徴とする取り付け式照明具。
【請求項８】
請求項５〜７のいずれかに記載の取り付け式照明具において、
前記本体部は、一方側照明部及び前記他方側照明部の両方又は片方について、前記一方側又は前記他方側へ向かう光の一部を、前記一方側とも前記他方側とも異なる第三方側へ導光する導光部を有することを特徴とする取り付け式照明具。
【請求項９】
請求項１〜８のいずれかに記載の取り付け式照明具において、
前記照明部は、光源部ごとに照明可能範囲が異なる、足元用光源部を有することを特徴とする取り付け式照明具。
【請求項１０】
請求項９に記載の取り付け式照明具において、
前記足元用光源部は、前記足元用光源部を構成する光源部ごとに照明可能範囲が異なるようにするための光学素子をさらに有することを特徴とする取り付け式照明具。
【請求項１１】
請求項１〜１０のいずれかに記載の取り付け式照明具において、
前記取り付け式照明具は、明るさセンサー及び振動センサーをさらに備え、
前記照明部は、前記本体部が閉状態を取り、前記明るさセンサーが所定の明るさより弱い光を検知し、かつ、前記振動センサーが所定の強さより強い振動を検知したときに点灯することを特徴とする取り付け式照明具。
【請求項１２】
請求項１〜１１のいずれかに記載の取り付け式照明具において、
前記取り付け式照明具は、前記回動部よりも前記取り付け部側に第１基準部をさらに備え、
前記本体部は、前記本体部が閉状態を取るときに前記第１基準部と向かい合う第２基準部をさらに有し、
前記第２基準部は、前記本体部が閉状態を取るという条件と前記第１基準部が所定の位置に配置されているという条件との両方を満たすときに、前記第１基準部の接触又は近接を検知する検知部を有し、
前記検知部が前記第１基準部の接触又は近接を検知したときには、前記第２基準部が前記本体部の電気回路を切り替えて、前記照明部を点灯可能状態にすることを特徴とする取り付け式照明具。
【請求項１３】
請求項１２に記載の取り付け式照明具において、
前記検知部は、押しボタンからなり、
前記第１基準部は、スライド移動可能に構成されているスライド板と、前記検知部に接触可能な接触部とを有することを特徴とする取り付け式照明具。
【請求項１４】
棒状部分と、握り部分と、前記棒状部分に取り付けられた取り付け式照明具とを備える歩行用杖であって、
前記取り付け式照明具は、歩行用杖等の棒状部分に取り付け可能な取り付け部と、前記取り付け部と接続された回動部と、前記回動部に接続され、前記棒状部分に沿ってたたまれる閉状態及び前記棒状部分から突出する開状態を取ることが可能な本体部と、前記本体部に内蔵された電源部と、前記本体部に配設され、前記電源部からの電力で点灯する照明部とを備え、前記照明部は、前記本体部が閉状態を取るときには点灯可能状態となり、前記本体部が開状態を取るときには常に消灯状態となるとを特徴とする歩行用杖。
【請求項１５】
請求項１４に記載の歩行用杖において、
前記棒状部分の軸を第１軸とするとき、
前記握り部分は前記第１軸とは垂直な方向に伸びる第２軸を有し、
前記取り付け式照明具の前記本体部は、板状の形状を有し、かつ、前記本体部が開状態を取るとき前記第１軸及び前記第２軸に対して垂直な方向に突出するように構成されていることを特徴とする歩行用杖。
【請求項１６】
請求項１４又は１５に記載の歩行用杖において、
前記取り付け式照明具の前記本体部において、前記回動部の回動軸に沿う方向の長さを本体部の幅とするとき、
前記本体部の幅は、前記棒状部分の最大径よりも大きいことを特徴とする歩行用杖。
【発明の詳細な説明】
【技術分野】
【０００１】
本発明は、取り付け式照明具（杖用照明具ということもある）及び歩行用杖に関する。
【背景技術】
【０００２】
現在、高齢者や足が不自由な人等は、歩行時の補助手段として歩行用杖等を用いることが一般的である。
歩行用杖とは、歩行補助のために用いる杖のことをいい、歩行用ステッキ、登山用ステッキ、松葉杖等を例示することができる。
また、歩行用杖等とは、上記の歩行用杖に加え、杖ではないが移動の補助手段として用いられるもの（車椅子、カート等）のことをいう。
以下、歩行用杖等を用いる人のことを杖等使用者という。【０００３】
ところで、杖等使用者が暗い道を通行する場合、足元が暗くて見えず、杖等使用者が段差などに躓いて転倒する危険性がある。また、自動車や自転車の乗員が杖等使用者を直前まで視認できず、思わぬ事故が発生する危険性もある。【０００４】
このような危険性を低減するため、従来、照明具を内蔵する歩行用杖及び照明具を取り付けた歩行用杖が知られている（例えば、特許文献１参照。）。図１３は、従来の歩行用杖９００の一部を拡大して示す図である。従来の歩行用杖９００は、図１３に示すように、棒状部分９１０と、握り部分９２０と、棒状部分９１０に取り付けられた取り付け式照明具９０１とを備える。従来の歩行用杖９００によれば、照明具９０１が発する光により杖等使用者の足元を照らすことで、杖等使用者が転倒する危険性を低減することが可能となり、また、自動車等の乗員に杖等使用者の存在を認知しやすくさせ、事故が発生する危険性を低減することが可能となる。
【先行技術文献】
【特許文献】
【０００５】
【特許文献１】特開２００１−２５２１１７号公報
【発明の概要】
【発明が解決しようとする課題】
【０００６】
しかしながら、従来の歩行用杖９００においては、照明具９０１を点灯及び消灯させるためには、細かいスイッチ９０３を操作することが必要であり、せっかく歩行用杖９００が照明具９０１を備えていても、杖等使用者にとって照明具９０１を点灯及び消灯させることが煩雑で面倒であるという問題がある。【０００７】
そこで、本発明は上記の問題を解決するためになされたもので、歩行用杖等の棒状部分に取り付けて用いる取り付け式照明具であって、細かいスイッチを操作しなくても照明具を点灯及び消灯させることが可能な取り付け式照明具を提供することを目的とする。また、上記のような取り付け式照明具を備える歩行用杖を提供することを目的とする。
【課題を解決するための手段】
【０００８】
［１］本発明の取り付け式照明具は、歩行用杖等の棒状部分に取り付け可能な取り付け部と、前記取り付け部と接続された回動部と、前記回動部と接続され、前記棒状部分に沿ってたたまれる閉状態及び前記棒状部分から突出する開状態とを取ることが可能な本体部と、前記本体部に内蔵された電源部と、前記本体部に配設され、前記電源部からの電力で点灯する照明部とを備え、前記照明部は、前記本体部が閉状態を取るときには点灯可能状態となり、前記本体部が開状態を取るときには常に消灯状態となることを特徴とする。【０００９】
本発明の取り付け式照明具によれば、本体部が閉状態を取るときには点灯可能状態となり、本体部が開状態を取るときには常に消灯状態となるため、細かいスイッチを操作しなくても本体部自体を開閉することで取り付け式照明具を点灯及び消灯させることが可能となる。【００１０】
また、本発明の取り付け式照明具によれば、歩行用杖等に取り付けて用いることにより、従来の歩行用杖と同様に、杖等使用者の足元を照らして杖等使用者が転倒する危険性を低減することが可能となり、また、自動車等の乗員に杖等使用者の存在を認知しやすくさせ、事故が発生する危険性を低減することが可能となる。【００１１】
なお、「本体部が閉状態を取るときには点灯可能状態となる」は、本体部を閉状態としたときに照明部が常に点灯状態となることのみを含むのではなく、後述する実施形態に示すように、各種センサー等を用いて所定の条件（例えば、周囲の明るさや杖の使用状態）に応じて照明部が点灯状態又は消灯状態となる（つまり、条件によっては一時的に消灯状態となる）ことも含む。【００１２】
上記［１］においては、「照明部は、本体部が閉状態を取るときには点灯可能状態となり、本体部が開状態を取るときには常に消灯状態となる」ようにするために、取り付け式照明具は、本体部の開閉状態を検知して本体部の電気回路を切り替える開閉検知機構をさらに備えることが好ましい。上記のような開閉検知機構としては、例えば、押しボタンを用いるもの（後述する［１２］，［１３］も参照。）、電源部と回動部との間に設けられ、回動部の回転に応じて電気回路を切り替える伝達機構を用いるもの、光学的なセンサーや磁気的なセンサーを用いるものを挙げることができる。【００１３】
［２］本発明の取り付け式照明具においては、前記本体部は、板状の形状を有し、かつ、前記取り付け部を取り付ける前記棒状部分の軸を第１軸とする場合、前記本体部が開状態を取るとき前記第１軸に対して垂直な方向に突出するように構成されていることが好ましい。【００１４】
ところで、不使用時において歩行用杖を壁に立て掛けておいたりすると、歩行用杖が滑って倒れてしまうことがあり不便である。一方、上記のような構成とすることにより、当該取り付け式照明具を歩行用杖に取り付けて使用した場合、取り付け式照明具を机の天板等に置くようにすることで歩行用杖を机等に掛けて倒れないようにすることが可能となる（後述する図３、図６及び図１０参照。）。【００１５】
なお、上記のように取り付け式照明具を置く場合、本体部が開状態を取る必要があるため、照明部は消灯状態となる。しかしながら、上記のような状態とするのは、歩行用杖を使用しないときであり、かつ、主に建物内であると考えられるため問題は無く、むしろ照明部を消灯状態として電力消費を抑えることが可能となる。【００１６】
本明細書において「垂直」は、完全に垂直であることのみを含むのではなく、実質的に垂直であると扱うことができる程度の角度関係であることも含む。水平面に対して直線が９０°の角度で交わることを「完全に垂直」であるとすると、例えば、水平面に対して直線が８０°〜１００°の角度で交わることを「垂直」であるとすることができる。【００１７】
上記［２］においては、「本体部が開状態を取るとき第１軸に対して垂直な方向に突出するように構成されている」ことを実現するために、回動部には回動可能範囲が設定され、本体部が第１軸に対して垂直な方向より大きく開くのを規制することが好ましい。【００１８】
［３］本発明の取り付け式照明具においては、前記取り付け式照明具は、前記本体部に対して常に所定の力を付勢する弾性部材をさらに備え、前記本体部は、前記弾性部材からの所定の力以外に力がかかっていない場合には、閉状態を取ることが好ましい。【００１９】
このような構成とすることにより、歩行用杖を机の天板等に掛けた状態から歩行用杖を持ち上げると本体部が自動的に閉状態を取るようになるため、本体部が開状態を取ったままとなる事態を防止することが可能となり、その結果、照明部が消灯状態のままとなる事態や歩行の邪魔となる事態を防止することが可能となる。【００２０】
なお、弾性部材が本体部に対して付勢する「所定の力」は、歩行用杖の自重により取り付け式照明具を机の天板等に置いた状態において取り付け式照明具にかかる重さよりも小さいことが好ましい。このような構成とすることで、取り付け式照明具を机の天板等に安定して置くことが可能となる。また、所定の力が強すぎると本体部で指を挟んで怪我をする等の事故が起こる危険性があるため、上記のような構成とすることにより、「所定の力」を小さくして、弾性部材を備えることによる事故を防止することが可能となる。【００２１】
［４］本発明の取り付け式照明具においては、前記取り付け式照明具は、前記本体部の先端部に配置されたローラー部をさらに備えることが好ましい。【００２２】
ところで、取り付け式照明具を机の天板等に置いて歩行用杖を倒れないようにするときには、基本的に手を用いて本体部に開状態を取らせる必要がある。しかしながら、上記のような構成とすることにより、机の天板等にローラーを押し付けて本体部に開状態を取らせることが可能となり、手を用いて本体部に開状態を取らせる手間を省くことが可能となる（後述する図１０参照。）。【００２３】
［５］本発明の取り付け式照明具においては、前記照明部は、前記取り付け式照明具の一方側を照明する一方側照明部と、前記一方側とは反対の他方側を照明する他方側照明部とからなることが好ましい。【００２４】
このような構成とすることにより、一方側及び他方側の２方向を照明し、自動車等の乗員に杖等使用者の存在を一層認知しやすくさせ、事故が発生する危険性を一層低減することが可能となる。【００２５】
［６］本発明の取り付け式照明具においては、前記一方側照明部は点灯時に白色光を射出するように構成され、前記他方側照明部は点灯時に赤色光を射出するように構成されていることが好ましい。【００２６】
このような構成とすることにより、例えば歩行用杖等に取り付け式照明具を取り付けたときにおいて、一方側照明具が前方側を向き、他方側照明具が後方側を向くようにすることで、方向によって照明の色に差をつけ、杖等使用者の存在をより一層認知しやすくさせることが可能となる。【００２７】
上記［６］においては、一方側照明部は白色光を射出する光源部を有することが好ましい。また、他方側照明部は、赤色光を射出する光源部を有すること、又は、白色光を射出する光源部及び入射する白色光のうち赤色光成分を通過させる赤色フィルターを有することが好ましい。【００２８】
［７］本発明の取り付け式照明具においては、前記本体部は、前記回動部と接続されている箇所から前記照明部が配設されている箇所までの間に回転軸を有し、前記一方側照明部と前記他方側照明部とが入れ替わるように回転可能であることが好ましい。【００２９】
このような構成とすることにより、本体部が回転軸を有し回転可能であるため、取り付け式照明具を歩行用杖等に取り付けた後でも、取り付け部の交換や分解等の煩雑な手順を踏まず容易に一方側照明部と他方側照明部との位置を入れ替えることが可能となる。【００３０】
また、例えば、上記［６］のように一方側照明部と他方側照明部とに違いがある場合であっても本体部の回転により入れ替えることができるため、取り付け間違いにより前後が逆になってしまう事態を防止することが可能となる（後述する図７参照。）。【００３１】
［８］本発明の取り付け式照明具においては、前記本体部は、一方側照明部及び前記他方側照明部の両方又は片方について、前記一方側又は前記他方側へ向かう光の一部を、前記一方側とも前記他方側とも異なる第三方側へ導光する導光部を有することが好ましい。【００３２】
このような構成とすることにより、第三方側に導光される光により杖等使用者の位置が一層判りやすくなることから、自動車等の乗員に杖等使用者の存在をより一層認知しやすくさせ、事故が発生する危険性をより一層低減することが可能となる。【００３３】
導光部としては、照明部の第三方側（照明部が、本体の正面側にある場合には側面側、側面側にある場合には正面側。）に設けられたスリットを例示することができる。照明部が透明カバー（透光板）や光拡散板等を有する場合には、当該スリット内部に透明カバー（透光板）や光拡散板等が入り込んでいてもよい。【００３４】
［９］本発明の取り付け式照明具においては、前記照明部は、光源部ごとに照明可能範囲が異なる、足元用光源部を有することが好ましい。【００３５】
このような構成とすることにより、取り付け式照明具（あるいは歩行用杖等）と地面との角度が変わっても、足元を照明することが可能となる。【００３６】
上記［９］の場合においては、足元用光源部は、歩行用杖等の棒状部分を地面と垂直にした場合において、杖等使用者の足元近辺を照明する第１光源部、第１光源部よりも遠方を照明する第２光源部及び第２光源部よりも遠方を照明する第３光源部を有することが一層好ましい。このように構成することにより、第１光源部、第２光源部及び第３光源部を用いて足元を一層確実に照明することが可能となる。なお、光源部は１つの光源からなるものを用いてもよいし、複数の光源からなるものを用いてもよい。【００３７】
なお、上記［５］に記載したように、照明部が一方側照明部と他方側照明部とからなる場合には、杖等使用者の前方側を照明する照明部（例えば、［６］に記載したように一方側照明部が点灯時に白色光を射出するように構成され、他方側照明部が点灯時に赤色光を射出するように構成されている場合には、一方側照明部）のみが光源部ごとに照明可能範囲が異なる足元用光源部を有し、杖等使用者の後方側を照明する照明部（例えば、他方側照明部）は後方側に向かってまっすぐ光を射出することが好ましい。このような構成とすることにより、杖等使用者の前方側を照明する照明部（例えば、一方側照明部）で杖等使用者の足元を照明するとともに、杖等使用者の後方側を照明する照明部（例えば、他方側照明部）で杖等使用者の存在を遠くからでも認知しやすくすることが可能となる。【００３８】
［１０］本発明の取り付け式照明具においては、前記足元用光源部は、前記足元用光源部を構成する光源部ごとに照明可能範囲が異なるようにするための光学素子をさらに有することが好ましい。【００３９】
ところで、本体部をコンパクトにまとめようとする場合、平面状の回路上に光源部を直接配置することが好ましい。しかし、このようにすると、光源部そのものの向きを変えて照明可能範囲を調節することが困難となる。
そこで、上記［１０］のような構成とすることにより、光源部そのものの向きではなく、光源部が射出する光の向きを変えることが可能となり、その結果、本体部をコンパクトにまとめることと、照明可能範囲を調節することとを両立することが可能となる（後述する図２、図５、図９及び図１１参照。）。【００４０】
照明可能範囲を調節するための光学素子としては、例えば、光学レンズやレンチキュラー素子を挙げることができる。【００４１】
［１０］本発明の取り付け式照明具においては、前記取り付け式照明具は、明るさセンサー及び振動センサーをさらに備え、前記照明部は、前記本体部が閉状態を取り、前記明るさセンサーが所定の明るさより弱い光を検知し、かつ、前記振動センサーが所定の強さより強い振動を検知したときに点灯することが好ましい。【００４２】
このような構成とすることにより、細かいスイッチを操作する等の煩雑な手順を踏まなくても取り付け式照明具を点灯及び消灯させることが可能となり、かつ、不使用時（周囲が明るいときや歩行用杖そのものを使用していないとき）に照明部を消灯状態として電力消費を抑えることが可能となる。【００４３】
［１２］本発明の取り付け式照明具においては、前記取り付け式照明具は、前記回動部よりも前記取り付け部側に第１基準部をさらに備え、前記本体部は、前記本体部が閉状態を取るときに前記第１基準部と向かい合う第２基準部をさらに有し、前記第２基準部は、前記本体部が閉状態を取るという条件と前記第１基準部が所定の位置に配置されているという条件との両方を満たすときに前記第１基準部の接触又は近接を検知する検知部を有し、前記検知部が前記第１基準部の接触又は近接を検知したときには、前記第２基準部が前記本体部の電気回路を切り替えて、前記照明部を点灯可能状態にすることが好ましい。【００４４】
このような構成とすることにより、細かいスイッチを操作しなくても本体部自体を開閉することで取り付け式照明具を点灯及び消灯させることを、第１基準部と第２基準部との組み合わせという比較的単純な機構で実現することが可能となる。【００４５】
第１基準部は、回動部よりも取り付け部側にあるため、本体部の開閉によっては位置が変わらないということができる。
「接触」とは、例えば、第１基準部の一部又は全部と検知部とが直接接触するとき（例えば、検知部として接触式のボタン、スイッチやセンサーを用いる場合）のことをいう。
また、「近接」とは、第１基準部の一部又は全部と検知部とが一定以下の距離にまで近づくとき（例えば、検知部として磁気や静電力を利用するスイッチやセンサーを用いる場合）のことをいう。一定の距離は、使用するスイッチやセンサー等に依存する。【００４６】
「本体部の電気回路を切り替える」とは、例として、検知部が第１基準部の接触又は近接を検知していないときには電源部と照明部との間の電気回路を非接続状態にし、検知部が第１基準部の接触又は近接を検知したときには電源部と照明部との間の電気回路を接続状態にすることを挙げることができる。【００４７】
第１基準部は、移動可能に構成されていてもよいし、移動不可能に構成されていてもよい。第１基準部が移動可能に構成されている場合には、第１基準部を、本体部の状態に関わらず照明部を消灯状態とする強制消灯操作部として使用することが可能となる。このような構成とすることにより、照明部を点灯させる条件を満たしていても点灯させたくない場合や電力消費を抑えたい場合に、第１基準部を所定の位置から移動させることで、照明部を強制的に消灯させることが可能となる。【００４８】
第１基準部及び第２基準部は、上記した「本体部の開閉状態を検知して本体部の電気回路を切り替える開閉検知機構」に相当する。【００４９】
［１３］本発明の取り付け式照明具においては、前記検知部は、押しボタンからなり、前記第１基準部は、スライド移動可能に構成されているスライド板と、前記検知部に接触可能な接触部とを有することが好ましい。【００５０】
このような構成とすることにより、第１基準部を、本体部の状態に関わらず照明部を消灯状態とするための強制消灯操作部として使用することが可能となり、照明部を点灯させる条件を満たしていても点灯させたくない場合や電力消費を抑えたい場合に、第１基準部を所定の位置から移動させることで、照明部を強制的に消灯させることが可能となる。【００５１】
また、このような構成とすることにより、第１基準部が本体部とは別の位置に設けられているため、第１基準部を本体部に設ける場合（強制消灯操作部を本体部に設ける場合に相当）よりも、第１基準部の設計上の制限（形状、大きさ等）を緩くして操作容易な形状とすることが可能となる。【００５２】
接触部は、ボタンスイッチの位置、形状、大きさに応じて形状を決定することができる。接触部は、例えば、突起状の形状を有していてもよいし、平面状の形状を有していてもよい。【００５３】
［１４］本発明の歩行用杖は、棒状部分と、握り部分と、前記棒状部分に取り付けられた取り付け式照明具とを備える歩行用杖であって、前記取り付け式照明具は、歩行用杖等の棒状部分に取り付け可能な取り付け部と、前記取り付け部と接続された回動部と、前記回動部に接続され、前記棒状部分に沿ってたたまれる閉状態及び前記棒状部分から突出する開状態を取ることが可能な本体部と、前記本体部に内蔵された電源部と、前記本体部に配設され、前記電源部からの電力で点灯する照明部とを備え、前記照明部は、前記本体部が閉状態を取るときには点灯可能状態となり、前記本体部が開状態を取るときには常に消灯状態となるとを特徴とする。【００５４】
本発明の歩行用杖によれば、本発明の取り付け式照明具を備えるため、本体部が閉状態を取るときには点灯可能状態となり、本体部が開状態を取るときには常に消灯状態となり、細かいスイッチを操作しなくても本体部自体を開閉することで取り付け式照明具を点灯及び消灯させることが可能となる。【００５５】
また、本発明の歩行用杖によれば、従来の歩行用杖と同様に、杖等使用者の足元を照らして杖等使用者が転倒する危険性を低減することが可能となり、また、自動車等の乗員に杖等使用者の存在を認知しやすくさせ、事故が発生する危険性を低減することが可能となる。【００５６】
上記［１４］に記載した取り付け式照明具は、要するに上記［１］に記載した取り付け式照明具であるが、本発明の歩行用杖においては、取り付け式照明具は、上記［２］〜［１３］のいずれかに記載した取り付け式照明具であることが好ましい。このような構成とすることにより、上記［２］〜［１３］のいずれかに記載した取り付け式照明具の効果を得ることが可能となる。【００５７】
［１５］本発明の歩行用杖においては、前記棒状部分の軸を第１軸とするとき、前記握り部分は前記第１軸とは垂直な方向に伸びる第２軸を有し、前記取り付け式照明具の前記本体部は、板状の形状を有し、かつ、前記本体部が開状態を取るとき前記第１軸及び前記第２軸に対して垂直な方向に突出するように構成されていることが好ましい。【００５８】
このような構成とすることにより、歩行用杖の握り部分が机等の縁に沿うように歩行用杖を固定するようになるため、握り部分が机等から突出して邪魔になるのを防止することが可能となる（後述する図６及び図１０参照。）。【００５９】
上記［１５］が備える取り付け式照明具は、上記［５］に記載した取り付け式照明具であることが一層好ましい。このような構成とすることにより、一方側照明部及び他方側照明部の光が棒状部分に遮られることがないため、自動車等の乗員に杖等使用者の存在をより一層認知しやすくさせ、事故が発生する危険性をより一層低減することが可能となる。【００６０】
なお、「握り部分は第１軸とは垂直な方向に伸びる第２軸を有する」とは、握り部分が全体として直線状の軸（第２軸）を想定することが可能な形状であることをいう。【００６１】
［１６］本発明の歩行用杖においては、前記取り付け式照明具の前記本体部において、前記回動部の回動軸に沿う方向の長さを本体部の幅とするとき、前記本体部の幅は、前記棒状部分の最大径よりも大きいことが好ましい。【００６２】
このような構成とすることにより、本体部そのものを掴んで開閉の操作を行うことを容易なものとすることが可能となる。
【図面の簡単な説明】
【００６３】
【図１】実施形態１に係る取り付け式照明具１を説明するために示す図である。
【図２】実施形態１に係る歩行用杖５００を説明するために示す図である。
【図３】実施形態１に係る歩行用杖５００を机の天板６００に掛けることを説明するために示す図である。
【図４】実施形態２に係る取り付け式照明具２を説明するために示す図である。
【図５】実施形態２に係る歩行用杖５０２を説明するために示す図である。
【図６】実施形態２に係る歩行用杖５０２を机の天板６００に掛けることを説明するために示す図である。
【図７】実施形態３に係る取り付け式照明具３を説明するために示す図である。
【図８】実施形態４に係る取り付け式照明具４を説明するために示す図である。
【図９】実施形態４に係る歩行用杖４を説明するために示す図である。
【図１０】実施形態４に係る歩行用杖５０４を机の天板６００に掛けることを説明するために示す図である。
【図１１】実施形態５に係る取り付け式照明具５を説明するために示す図である。
【図１２】実施形態５に係る取り付け式照明具５の細部を説明するために示す図である。
【図１３】従来の歩行用杖９００の一部を拡大して示す図である。
【発明を実施するための形態】
【００６４】
［実施形態１］
図１は、実施形態１に係る取り付け式照明具１を説明するために示す図である。図１（ａ）は閉状態を取る取り付け式照明具１の正面図であり、図１（ｂ）は開状態を取る取り付け式照明具１の上面図であり、図１（ｃ）は閉状態を取る取り付け式照明具１の側面図であり、図１（ｄ）は開状態を取る取り付け式照明具１の側面図である。なお、図１（ｃ）及び図１（ｄ）においては、説明を容易にするため、一方側照明部５０及び他方側照明部６０を実線で表示している。符号５１０で示す棒状部分は歩行用杖５００の一部であり、取り付け式照明具１の構成要素ではない。
【００６５】
図２は、実施形態１に係る歩行用杖５００を説明するために示す図である。図２（ａ）は歩行用杖５００の正面図であり、図２（ｂ）は歩行用杖５００の側面図である。なお、図２における取り付け式照明具１はいずれも閉状態である。図２（ｂ）においてＷで表示する実線矢印は一方側照明部５０の光源部５２，５４，５６が射出する光の向きを示すものであり、Ｗで表示する破線矢印は一方側照明部５０からの拡散光等が下方に向かうことを示すものであり、Ｒで表示する実線矢印は他方側照明部６０の光源部６２が射出する光の向きを示すものである。
図３は、実施形態１に係る歩行用杖５００を机の天板６００に掛けることを説明するために示す図である。符号６００で示す机の天板は歩行用杖５００の一部を構成するものではない。
【００６６】
まず、実施形態１に係る取り付け式照明具１について説明する。
実施形態１に係る取り付け式照明具１は、図１に示すように、取り付け部１０と、弾性部材１２（図示せず。）と、回動部１４と、本体部２０と、電源部３０と、明るさセンサー４０（図示せず。）と、振動センサー４２（図示せず。）と、照明部５０，６０とを備える。
【００６７】
取り付け部１０は、歩行用杖等（実施形態１の場合、歩行用杖５００）の棒状部分５１０に取り付け可能に構成されている。取り付け部１０は、いわゆるユニバーサルバンドからなり、刻みのついた可撓性バンドとネジとを有することにより、様々な径の棒状部分に対応することができる。なお、取り付け部としては、単に棒状部分を挟むような構成の取り付け部を用いることもできる。
【００６８】
弾性部材１２は、本体部２０に対して常に所定の力を付勢する。弾性部材１２が付勢する所定の力は、本体部２０に弾性部材１２からの所定の力以外に力がかかっていない場合、本体部２０が閉状態を取るようにする力である。弾性部材１２は、例えば、板バネやコイルバネからなる。弾性部材１２は、図示は省略するが、回動部１４付近又は回動部１４の内部に配置されている。
なお、弾性部材１２が本体部２０に対して付勢する「所定の力」は、歩行用杖５００の自重により取り付け式照明具１を机の天板等に置いた状態において取り付け式照明具１にかかる重さよりも小さい。
【００６９】
回動部１４は、取り付け部１０と接続され、かつ、本体部２０と接続されている。回動部１４には回動可能範囲が設定され、本体部２０が第１軸に対して垂直な方向より大きく開くのを規制する。実施形態１においては、回動部１４は、棒状部分５１０の軸（第１軸ａｘ１）を基準として０°〜９０°の範囲内で回動可能である（図１（ｃ）及び図１（ｄ）参照。）。
【００７０】
本体部２０は、回動部と接続されている。本体部２０は、棒状部分５１０に沿ってたたまれる閉状態（図１（ａ）及び図１（ｃ）参照。）及び棒状部分５１０から突出する開状態（図１（ｂ）及び図１（ｄ）参照。）とを取ることが可能に構成されている。
さらにいえば、本体部２０は、板状の形状を有し、かつ、取り付け部１０を取り付ける棒状部分５１０の軸を第１軸ａｘ１とする場合、本体部２０が開状態を取るとき第１軸に対して垂直な方向に突出するように構成されている。
【００７１】
本体部２０は、弾性部材１２からの所定の力以外に力がかかっていない場合には、閉状態を取る。本体部２０は、その先端部において、指をかけて本体部２０に開状態を取らせるための突起２２を有する。
【００７２】
電源部３０は、本体部２０に内蔵されている。電源部３０で用いる電源としては、様々な電池（例えば、種々の汎用乾電池、専用形状のニッケル・カドミウム電池やリチウムイオン電池等）を用いることができる。中でも、本体部２０の大きさや厚み、入手や扱いの容易さを考えると、例えば、単４乾電池２本（使い切り式でも充電式でもよい。）を好適に用いることができる。
【００７３】
明るさセンサー４０及び振動センサー４２は、図示は省略するが、本体部２０に内蔵されている。
明るさセンサー４０としては、例えば、フォトトランジスタを有するものや太陽電池パネルを有するものを用いることができる。
振動センサー４２としては、例えば、機械式の振動センサー、光学式の振動センサー又は半導体式の振動センサーを有するものを用いることができる。
【００７４】
照明部５０，６０は、取り付け式照明具１の一方側を照明する一方側照明部５０と、一方側とは反対の他方側を照明する他方側照明部６０とからなる。当該照明部５０，６０は、本体部２０に配置され、電源部３０からの電力で点灯する。照明部５０，６０は、本体部２０が閉状態を取るときには点灯可能状態となり、本体部２０が開状態を取るときには常に消灯状態となる。照明部５０，６０にこのような状態を取らせるために、取り付け式照明具１は、例えば、本体部２０の開閉状態を検知して本体部２０の電気回路（図示せず。）を切り替える開閉検知機構（図示せず。）をさらに備えることができる。開閉検知機構としては、例えば、電源部３０と回動部１４との間に設けられ、回動部１４の動きに応じて電気回路（例えば、電源部の配線）を切り替える伝達機構を用いるもの、光学的なセンサーや磁気的なセンサーを用いるものを挙げることができる。
【００７５】
照明部５０，６０は、本体部２０が閉状態を取り、明るさセンサー４０が所定の明るさより弱い光を検知し、かつ、振動センサー４２が所定の強さより強い振動を検知したとき（つまり、周囲が暗く、歩行用杖５００を実際に使用するとき）に点灯する。
【００７６】
照明部５０，６０は、一度点灯した後は、明るさセンサー４０が所定の光度より強い光を検知した場合（例えば、街灯の下を通過した場合）でも、所定の時間（任意の時間を設定し得るが、例えば、５分間）点灯し続ける。
【００７７】
このため、照明部５０，６０は、一度点灯した後は、明るさセンサー４０が所定の光度より強い光を検知した場合でも所定の時間点灯し続けるようになり、杖等使用者が一時的に明るい場所を通りかかったときに照明部５０，６０が急に消灯してしまうのを防止することが可能となる。
【００７８】
また、照明部５０，６０は、一度点灯した後は、振動センサー４２が所定の強さよりも弱い振動を検知した場合や振動を検知できなくなった場合（例えば、一時的に立ち止まった場合）でも、所定の時間（任意の時間を設定し得るが、例えば、５分間）点灯し続ける。
【００７９】
このため、照明部は、一度点灯した後は、振動センサー４２が所定の強さよりも弱い振動を検知した場合や振動を検知できなくなった場合でも所定の時間点灯し続けるようになり、杖等使用者が一時的に立ち止まったときでも照明部が急に消灯してしまうのを防止することが可能となる。
【００８０】
一方側照明部５０は、点灯時に白色光を射出するように構成されている。一方側照明部５０は、光源部５２,５４,５６を有する。光源部５２，５４，５６としては種々の光源を用いることができるが、例えば、小型・高輝度で消費電力が低いという特徴から、発光ダイオード（ＬＥＤ）を好適に用いることができる。光源部５２，５４，５６は、白色光を射出する。
【００８１】
なお、光源部５２,５４,５６は平面状の回路に直接配置されているため、光源部５２,５４,５６からの光は基本的に直進する（図２（ｂ）の実線矢印Ｗ参照。）。しかし、光源部５２,５４,５６が射出する光には光軸以外の方向へ向かう光も含まれ、また、光源部５２,５４,５６が射出する光の中には照明部のカバー（符号を図示せず。）等により拡散され拡散光となる光があることにより、照明部（一方側照明部５０）からの光は杖等使用者の足元を照らすことができる（図２（ｂ）の破線矢印Ｗ参照）。
【００８２】
他方側照明部６０は、点灯時に赤色光を射出するように構成されている。他方側照明部６０は、光源部６２を有する。光源部６２としては種々の光源を用いることができるが、例えば、小型・高輝度で消費電力が低いという特徴から、やはり発光ダイオード（ＬＥＤ）を好適に用いることができる。光源部６２は、赤色光を射出する。なお、他方側照明部６０は、白色光を射出する光源部及び入射する白色光のうち赤色光成分を通過させる赤色フィルターを有することとしてもよい。
なお、他方側照明部６０は棒状部分５１０と対向しており、他方側照明部６０からの光の一部は棒状部分５１０に遮られる。しかしながら、棒状部分５１０に遮られなかった光が後方側へ向かうため、他方側照明部６０の機能を果たすことが可能である（図２（ｂ）の実線矢印Ｒ参照。）。
【００８３】
照明部は、光源部からの光を側面側を介して本体部の背面方向に導光する導光部材（例えば、反射ミラーや光ファイバー）を有してもよい。このような構成とすることにより、本体部そのものや棒状部分５１０を回避して歩行用杖５００の背面側に光を届かせることが可能となる。
【００８４】
次に、実施形態１に係る歩行用杖５００について説明する。
歩行用杖５００は、図２に示すように、棒状部分５１０と、握り部分５２０と、石突部分５３０と、棒状部分５１０に取り付けられた取り付け式照明具１とを備える。取り付け式照明具１は、歩行用杖５００の正面側に取り付けられている。これにより、一方側照明部５０の光源部５２，５４，５６を用いて前方側を照明することが可能となり、また、他方側照明部６０の光源部６２を用いて後方側を照明することが可能となる。
【００８５】
棒状部分５１０の軸を第１軸ａｘ１とするとき、握り部分５２０は第１軸ａｘ１とは垂直な方向に伸びる第２軸ａｘ２を有し、取り付け式照明具１の本体部２０は、板状の形状を有し、かつ、本体部２０が開状態を取るとき第１軸ａｘ１及び第２軸ａｘ２に対して垂直な方向に突出するように構成されている（図３参照。）。
【００８６】
このため、歩行用杖５００は、図３に示すように、取り付け式照明具１の本体部２０が開状態を取るときは、机の天板６００のように平面状の天面を有するものに掛けることができる。なお、本体部２０は弾性部材１２により常に所定の力が付勢されているため、歩行用杖５００を机の天板６００から取り上げると、本体部２０は自動的に閉状態を取る。
【００８７】
取り付け式照明具１の本体部２０において、回動部１４の回動軸に沿う方向の長さを本体部２０の幅とするとき、本体部２０の幅は、棒状部分５１０の最大径よりも大きい（図１及び図２参照。）。
【００８８】
以下、実施形態１に係る取り付け式照明具１及び歩行用杖５００の効果を説明する。
【００８９】
実施形態１に係る取り付け式照明具１によれば、本体部２０が閉状態を取るときには点灯可能状態となり、本体部２０が開状態を取るときには常に消灯状態となるため、細かいスイッチを操作しなくても本体部自体を開閉することで取り付け式照明具を点灯及び消灯させることが可能となる。
【００９０】
また、実施形態１に係る取り付け式照明具１によれば、歩行用杖等に取り付けて用いることにより、従来の歩行用杖と同様に、杖等使用者の足元を照らして杖等使用者が転倒する危険性を低減することが可能となり、また、自動車等の乗員に杖等使用者の存在を認知しやすくさせ、事故が発生する危険性を低減することが可能となる。
【００９１】
また、実施形態１に係る取り付け式照明具１によれば、本体部２０が板状の形状を有し、かつ、本体部２０が開状態を取るとき第１軸に対して垂直な方向に突出するように構成されているため、当該取り付け式照明具を歩行用杖に取り付けて使用した場合、取り付け式照明具を机の天板等に置くようにすることで歩行用杖を机等に掛けて倒れないようにすることが可能となる。
【００９２】
また、実施形態１に係る取り付け式照明具１によれば、本体部２０に開状態を取らせて取り付け式照明具１を置く場合に、照明部を消灯状態として電力消費を抑えることが可能となる。
【００９３】
また、実施形態１に係る取り付け式照明具１によれば、取り付け式照明具１は、弾性部材１２をさらに備え、本体部２０は、弾性部材１２からの所定の力以外に力がかかっていない場合には閉状態を取るため、歩行用杖を机の天板等に掛けた状態から歩行用杖を持ち上げると本体部が自動的に閉状態を取るようになり、本体部が開状態を取ったままとなる事態を防止することが可能となり、その結果、照明部が消灯状態のままとなる事態や歩行の邪魔となる事態を防止することが可能となる。
【００９４】
また、実施形態１に係る取り付け式照明具１によれば、弾性部材１２が本体部２０に対して付勢する「所定の力」は、歩行用杖５００の自重により取り付け式照明具１を机の天板等に置いた状態において取り付け式照明具１にかかる重さよりも小さいため、取り付け式照明具を机の天板等に安定して置くことが可能となる。
また、所定の力が強すぎると本体部で指を挟んで怪我をする等の事故が起こる危険性があるため、上記のような構成とすることにより、「所定の力」を小さくして、弾性部材を備えることによる事故を防止することが可能となる。
【００９５】
また、実施形態１に係る取り付け式照明具１によれば、照明部は、取り付け式照明具１の一方側を照明する一方側照明部５０と、一方側とは反対の他方側を照明する他方側照明部６０とからなるため、一方側及び他方側の２方向を照明し、自動車等の乗員に杖等使用者の存在を一層認知しやすくさせ、事故が発生する危険性を一層低減することが可能となる。
【００９６】
また、実施形態１に係る取り付け式照明具１によれば、一方側照明部５０は点灯時に白色光を射出するように構成され、他方側照明部６０は点灯時に赤色光を射出するように構成されているため、方向によって照明の色に差をつけ、杖等使用者の存在をより一層認知しやすくさせることが可能となる。
【００９７】
また、実施形態１に係る取り付け式照明具１によれば、取り付け式照明具１は、明るさセンサー４０及び振動センサー４２を備え、照明部５０，６０は、本体部２０が閉状態を取り、明るさセンサー４０が所定の明るさより弱い光を検知し、かつ、振動センサー４２が所定の強さより強い振動を検知したときに点灯するため、細かいスイッチを操作する等の煩雑な手順を踏まなくても取り付け式照明具を点灯及び消灯させることが可能となり、かつ、不使用時（周囲が明るいときや歩行用杖そのものを使用していないとき）に照明部を消灯状態として電力消費を抑えることが可能となる。
【００９８】
実施形態１に係る歩行用杖５００によれば、棒状部分５１０と、握り部分５２０と、取り付け式照明具１とを備える歩行用杖であって、取り付け式照明具１は、取り付け部１０と、回動部１４と、本体部２０と、電源部３０と、照明部とを備え、照明部は、本体部２０が閉状態を取るときには点灯可能状態となり、本体部２０が開状態を取るときには常に消灯状態となるため、本体部が閉状態を取るときには点灯可能状態となり、本体部が開状態を取るときには常に消灯状態となり、細かいスイッチを操作しなくても本体部自体を開閉することで取り付け式照明具を点灯及び消灯させることが可能となる。
【００９９】
また、実施形態１に係る歩行用杖５００によれば、従来の歩行用杖と同様に、杖等使用者の足元を照らして杖等使用者が転倒する危険性を低減することが可能となり、また、自動車等の乗員に杖等使用者の存在を認知しやすくさせ、事故が発生する危険性を低減することが可能となる。
【０１００】
また、実施形態１に係る歩行用杖５００によれば、取り付け式照明具１の本体部２０の幅は、棒状部分５１０の最大径よりも大きいため、本体部そのものを掴んで開閉の操作を行うことを容易なものとすることが可能となる。
【０１０１】
［実施形態２］
図４は、実施形態２に係る取り付け式照明具２を説明するために示す図である。図４（ａ）は閉状態を取る取り付け式照明具２の正面図であり、図４（ｂ）は開状態を取る取り付け式照明具２の上面図であり、図４（ｃ）は閉状態を取る取り付け式照明具２の側面図であり、図４（ｄ）は開状態を取る取り付け式照明具２の側面図である。符号５１０で示す棒状部分は歩行用杖５０２の一部であり、取り付け式照明具２の構成要素ではない。
【０１０２】
図５は、実施形態２に係る歩行用杖５０２を説明するために示す図である。図５（ａ）は歩行用杖５０２の正面図であり、図５（ｂ）は歩行用杖５０２の側面図である。なお、図５における取り付け式照明具２はいずれも閉状態である。図５（ａ）においてＷで表示する実線矢印は一方側照明部８０が射出する光の向きを示すものであり、Ｒで表示する実線矢印は他方側照明部１００が射出する光の向きを示すものである。
図６は、実施形態２に係る歩行用杖５０２を机の天板６００に掛けることを説明するために示す図である。符号６００で示す机の天板は歩行用杖５００の一部を構成するものではない。
【０１０３】
実施形態２に係る取り付け式照明具２は、基本的には実施形態１に係る取り付け式照明具１と同様の構成を有するが、本体部及び照明部の構成が実施形態１に係る取り付け式照明具１とは異なる。また、これに伴って、歩行用杖５０２についても、実施形態１にかかる歩行用杖５００とは取り付け式照明具の取り付け位置が異なる。以下、取り付け式照明具２及び歩行用杖５０２について、実施形態１に係る取り付け式照明具１及び歩行用杖５００との差異点を中心に説明する。
【０１０４】
まず、実施形態２に係る取り付け式照明具２について説明する。
取り付け式照明具２は、図４に示すように、取り付け部１０と、弾性部材１２（図示せず。）と、回動部１４と、本体部７０と、電源部３０と、明るさセンサー４０（図示せず。）と、振動センサー４２（図示せず。）と、照明部８０，１００とを備える。
取り付け式照明具２において、本体部７０及び照明部８０，１００以外の構成要素は、実施形態１に係る取り付け式照明具１の対応する構成要素と同様の構成を有するため、説明を省略する。
【０１０５】
本体部７０は、基本的には実施形態１における本体部２０と同様の構成を有するが、実施形態１の場合とは照明部の配置が異なるため、全体的な形状が異なる。
【０１０６】
照明部８０，１００は、一方側照明部８０と他方側照明部１００とからなる。
一方側照明部８０は、基本的には実施形態１における一方側照明部５０と同様の構成を有するが、位置及び構成要素が異なる。具体的には、一方側照明部８０は、本体部７０の側面に配置されている。また、一方側照明部８０は、光源部８２，８４，８６ごとに照明可能範囲が異なるようにするための光学素子９２，９４，９６をさらに有する。このため、一方側照明部８０は、光源部８２，８４，８６ごとに照明可能範囲が異なる足元用光源部を有するということができる。なお、光源部８２，８４，８６は白色光を射出する。一方側照明部８０は、杖等使用者の前方を照明する（図５参照。）。
【０１０７】
光学素子９２は光源部８２に対応し、光学素子９４は光源部８４に対応し、光学素子９６は光源部８６に対応する。光学素子９２，９４，９６は、光源部８２，８４，８６からの光を下方に向けて曲げる光学レンズからなる。
つまり、一方側照明部８０は、歩行用杖５０２の棒状部分５１０を地面と垂直にした場合において、杖等使用者の足元近辺を照明する第１光源部である光源部８２、第１光源部よりも遠方を照明する第２光源部である光源部８４及び第２光源部よりも遠方を照明する第３光源部である光源部８６を有することとなる。
【０１０８】
他方側照明部１００は、基本的には一方側照明部８０と同様の構成を有するが、一方側照明部８０とは反対側の側面に配置されていること、光源部１０２，１０４，１０６が赤色光を射出すること及び光学素子１１２，１１４，１１６が光源部１０２，１０４，１０６からの光を直進させる光学レンズからなることが異なる。他方側照明部１００は、杖等使用者の後方側を照明する。なお、他方側照明部１００は、白色光を射出する光源部及び入射する白色光のうち赤色光成分を通過させる赤色フィルターを有することとしてもよい。
【０１０９】
実施形態２に係る取り付け式照明具２においては、後述する歩行用杖５０２の説明に記載するように、杖等使用者の前方側を照明する一方側照明部８０のみが光源部８２，８４，８６ごとに照明可能範囲が異なる足元用光源部を有し、杖等使用者の後方側を照明する他方側照明部は後方側に向かってまっすぐ光を射出することとなる。
【０１１０】
次に、実施形態２に係る歩行用杖５０２について説明する。
歩行用杖５０２は、図５に示すように、棒状部分５１０と、握り部分５２０と、石突部分５３０と、棒状部分５１０に取り付けられた取り付け式照明具２とを備える。
【０１１１】
棒状部分５１０の軸を第１軸ａｘ１とするとき、握り部分５２０は第１軸ａｘ１とは垂直な方向に伸びる第２軸ａｘ２を有し、取り付け式照明具２の本体部７０は板状の形状を有し、かつ、本体部７０が開状態を取るとき第１軸ａｘ１及び第２軸ａｘ２に対して垂直な方向に突出するように構成されている（図６参照。）。つまり、実施形態１の場合とは異なり、取り付け式照明具２は歩行用杖５０２の側面に取り付けられている。これにより、一方側照明部８０及び他方側照明部１００からなる照明部によって、前方側及び後方側を照明することが可能となる（図５（ａ）参照。）。
【０１１２】
以下、実施形態２に係る取り付け式照明具２及び歩行用杖５０２の効果を説明する。
【０１１３】
実施形態２に係る取り付け式照明具２は、本体部及び照明部の構成が実施形態１に係る取り付け式照明具１とは異なるが、実施形態１に係る取り付け式照明具１と同様に、本体部７０が閉状態を取るときには点灯可能状態となり、本体部７０が開状態を取るときには常に消灯状態となるため、細かいスイッチを操作しなくても本体部自体を開閉することで取り付け式照明具を点灯及び消灯させることが可能となる。
【０１１４】
また、実施形態２に係る取り付け式照明具２によれば、照明部は、光源部ごとに照明可能範囲が異なる、足元用光源部を有するため、取り付け式照明具（歩行用杖等）と地面との角度が変わっても、足元を照明することが可能となる。
【０１１５】
また、実施形態２に係る取り付け式照明具２によれば、足元用光源部は、歩行用杖等の棒状部分を地面と垂直にした場合において、杖等使用者の足元近辺を照明する第１光源部、第１光源部よりも遠方を照明する第２光源部及び第２光源部よりも遠方を照明する第３光源部を有するため、第１光源部、第２光源部及び第３光源部を用いて足元を一層確実に照明することが可能となる。
【０１１６】
また、実施形態２に係る取り付け式照明具２によれば、一方側照明部８０のみが光源部８２，８４，８６ごとに照明可能範囲が異なる足元用光源部を有し、他方側照明部１００は後方側に向かってまっすぐ光を射出するため、杖等使用者の前方側を照明する照明部（一方側照明部）で杖等使用者の足元を照明するとともに、杖等使用者の後方側を照明する照明部（他方側照明部）で杖等使用者の存在を遠くからでも認知しやすくすることが可能となる。
【０１１７】
また、実施形態２に係る取り付け式照明具２によれば、照明部（一方側照明部８０）は、足元用光源部を構成する光源部ごとに照明可能範囲が異なるようにするための光学素子９２，９４，９６を有するため、光源部そのものの向きではなく、光源部が射出する光の向きを変えることが可能となり、その結果、本体部をコンパクトにまとめることと、照明可能範囲を調節することとを両立することが可能となる。
【０１１８】
なお、実施形態２に係る取り付け式照明具２は、本体部及び照明部の構成以外は実施形態１に係る取り付け式照明具１と同様の構成を有するため、実施形態１に係る取り付け式照明具１が有する効果のうち該当する効果をそのまま有する。
【０１１９】
実施形態２に係る歩行用杖５０２は、取り付け式照明具の取り付け位置が実施形態１に係る歩行用杖５００とは異なるが、実施形態１に係る歩行用杖５００と同様に、本体部７０が閉状態を取るときには点灯可能状態となり、本体部７０が開状態を取るときには常に消灯状態となるため、細かいスイッチを操作しなくても本体部自体を開閉することで取り付け式照明具を点灯及び消灯させることが可能となる。
【０１２０】
また、実施形態２に係る歩行用杖５０２によれば、本体部７０が板状の形状を有し、かつ、本体部７０が開状態を取るとき第１軸ａｘ１及び第２軸ａｘ２に対して垂直な方向に突出するように構成されているため、歩行用杖の握り部分が机等の縁に沿うように歩行用杖を固定するようになり、握り部分が机等から突出して邪魔になるのを防止することが可能となる。
【０１２１】
また、実施形態２に係る歩行用杖５０２によれば、一方側照明部８０及び他方側照明部１００の光が棒状部分５１０に遮られることがないため、自動車等の乗員に杖等使用者の存在をより一層認知しやすくさせ、事故が発生する危険性をより一層低減することが可能となる。
【０１２２】
なお、実施形態２に係る歩行用杖５０２は、取り付け式照明具の取り付け位置以外は実施形態１に係る歩行用杖５００と同様の構成を有するため、実施形態１に係る歩行用杖５００が有する効果のうち該当する効果をそのまま有する。
【０１２３】
［実施形態３］
図７は、実施形態３に係る取り付け式照明具３を説明するために示す図である。図７（ａ）は閉状態を取る取り付け式照明具３の正面図であり、図７（ｂ）は閉状態を取る取り付け式照明具３であって、第２本体部１２４部分を回転させた状態の取り付け式照明具３の正面図であり、図７（ｃ）〜図７（ｅ）は第２本体部１２４を回動させて取り付け式照明具３の配置を入れ替える様子を示す図である。符号５１０で示す棒状部分は歩行用杖の一部であり、取り付け式照明具３の構成要素ではない。
【０１２４】
実施形態３に係る取り付け式照明具３は、基本的には実施形態２に係る取り付け式照明具２と同様の構成を有するが、本体部及び照明部の構成が実施形態２に係る取り付け式照明具２とは異なる。以下、取り付け式照明具３について、実施形態２に係る取り付け式照明具２との差異点を中心に説明する。
【０１２５】
取り付け式照明具３は、図７に示すように、取り付け部１０と、弾性部材１２（図示せず。）と、回動部１４と、本体部１２０と、電源部３０と、明るさセンサー４０（図示せず。）と、振動センサー４２（図示せず。）と、照明部１３０，１５０とを備える。
取り付け式照明具３において、本体部１２０及び照明部１３０，１５０以外の構成要素は、実施形態２に係る取り付け式照明具２の対応する構成要素と同様の構成を有するため、説明を省略する。なお、照明部１３０，１５０は、一方側照明部１３０と他方側照明部１５０とからなる。
【０１２６】
本体部１２０は、回動部１４と接続されている箇所から照明部が配設されている箇所までの間に回転軸１２６を有し、一方側照明部１３０と他方側照明部１５０とが入れ替わるように回転可能である（図７（ｃ）〜図７（ｅ）参照。）。さらに詳しく言えば、本体部１２０は、第１本体部１２２と、第２本体部１２４と、回転軸１２６と、固定機構１２８を有する。
【０１２７】
本体部１２０は第１本体部１２２と第２本体部１２４との間で分割されており、第１本体部１２２と第２本体部１２４は回転軸１２６で接続されている。当該回転軸１２６によって第２本体部１２４部分は回転可能であり、ちょうどよい位置（例えば、棒状部分５１０に取り付けた場合において、一方側照明部１３０が前方側を向く位置）で第２本体部１２４を固定機構１２８が固定するように構成されている（図７（ａ）及び図７（ｂ）参照。）。
【０１２８】
一方側照明部１３０は、足元用光源部を構成する光源部１３２，１３４，１３６ごとに照明可能範囲を異なるものとするための光学素子として、光学レンズの代わりに平面状のレンチキュラー素子１４２，１４４，１４６を備えること以外については、実施形態２における一方側照明部８０と同様の構成を有する。レンチキュラー素子１４２，１４４，１４６としては、透明樹脂からなるものや、光学ガラスからなるものを好適に用いることができる。
【０１２９】
他方側照明部１５０は、光源部１５２，１５４，１５６からの光を直進させる光学レンズの代わりに透明カバー１６２，１６４，１６６を備えること以外については、実施形態２おける他方側照明部１００と同様の構成を有する。透明カバー１６２，１６４，１６６としては、透明樹脂からなるものや、光学ガラスからなるものを好適に用いることができる。また、透明カバー１６２，１６４，１６６は、例えば、赤色に着色されていてもよい。
【０１３０】
以下、実施形態３に係る取り付け式照明具３の効果を説明する。
【０１３１】
実施形態３に係る取り付け式照明具３は、本体部及び照明部の構成が実施形態２に係る取り付け式照明具２とは異なるが、実施形態２に係る取り付け式照明具２と同様に、本体部１２０が閉状態を取るときには点灯可能状態となり、本体部１２０が開状態を取るときには常に消灯状態となるため、細かいスイッチを操作しなくても本体部自体を開閉することで取り付け式照明具を点灯及び消灯させることが可能となる。
【０１３２】
また、実施形態３に係る取り付け式照明具３によれば、本体部１２０が回転軸１２６を有し回転可能であるため、取り付け式照明具を歩行用杖等に取り付けた後でも、取り付け部の交換や分解等の煩雑な手順を踏まず容易に一方側照明部と他方側照明部との位置を入れ替えることが可能となる。
【０１３３】
また、実施形態３に係る取り付け式照明具３によれば、一方側照明部１３０と他方側照明部１５０とに違いがある場合であっても本体部１２０の回転により入れ替えることができるため、取り付け間違いにより前後が逆になってしまう事態を防止することが可能となる。
【０１３４】
なお、実施形態３に係る取り付け式照明具３は、本体部及び照明部の構成以外は実施形態２に係る取り付け式照明具２と同様の構成を有するため、実施形態２に係る取り付け式照明具２が有する効果のうち該当する効果をそのまま有する。
【０１３５】
［実施形態４］
図８は、実施形態４に係る取り付け式照明具４を説明するために示す図である。図８（ａ）は閉状態を取る取り付け式照明具４の上面図であり、図８（ｂ）は開状態を取る取り付け式照明具４の正面図であり、図８（ｃ）は閉状態を取る取り付け式照明具４の側面図であり、図８（ｄ）は開状態を取る取り付け式照明具４の側面図である。符号５１０で示す棒状部分は歩行用杖５０４の一部であり、取り付け式照明具４の構成要素ではない。
【０１３６】
図９は、実施形態４に係る歩行用杖５０４を説明するために示す図である。図９（ａ）は歩行用杖５０４の正面図であり、図９（ｂ）は歩行用杖５０４の側面図である。なお、図９における取り付け式照明具４はいずれも閉状態である。図９（ａ）においてＷで表示する実線矢印は一方側照明部８０が射出する光の向きを示すものであり、Ｒで表示する実線矢印は他方側照明部１００が射出する光の向きを示すものである。
図１０は、実施形態４に係る歩行用杖５０４を机の天板６００に掛けることを説明するために示す図である。図１０（ａ）は歩行用杖５０４を机の天板６００に掛ける途中の図であり、図１０（ｂ）は歩行用杖５０４を机の天板６００に掛けたときの図である。符号６００で示す机の天板は歩行用杖５００の一部を構成するものではない。
【０１３７】
実施形態４に係る取り付け式照明具４は、基本的には実施形態２に係る取り付け式照明具２と同様の構成を有するが、ローラー部をさらに備える点が実施形態２に係る取り付け式照明具２とは異なる（図８参照。）。すなわち、取り付け式照明具４は、実施形態２に係る取り付け式照明具４が備える構成要素に加えて、本体部１７０の先端部に配置されたローラー部１７２を備える。なお実施形態２における本体部７０と本体部の符号が変わっているのは、本体部１７０がローラー部１７２を備えるのに適した形状となっているためである。
【０１３８】
実施形態４に係る歩行用杖５０４は、基本的には実施形態２に係る歩行用杖５０２と同様の構成を有するが、実施形態２に係る取り付け式照明具２ではなく実施形態４に係る取り付け式照明具４を備える点が異なる（図９参照。）。
このため、歩行用杖５０４においては、図１０に示すように、取り付け式照明具４のローラー部１７２を机の天板６００に押し付けるようにして、手を使わずに本体部１７０に開状態を取らせることができる。
【０１３９】
以下、実施形態４に係る取り付け式照明具４の効果を説明する。
【０１４０】
実施形態４に係る取り付け式照明具４は、ローラー部をさらに備える点が実施形態２に係る取り付け式照明具２とは異なるが、実施形態２に係る取り付け式照明具２と同様に、本体部１７０が閉状態を取るときには点灯可能状態となり、本体部１７０が開状態を取るときには常に消灯状態となるため、細かいスイッチを操作しなくても本体部自体を開閉することで取り付け式照明具を点灯及び消灯させることが可能となる。
【０１４１】
また、実施形態４に係る取り付け式照明具４によれば、本体部１７０の先端部に配置されたローラー部１７２を備えるため、机の天板等にローラーを押し付けて本体部を開状態を取らせることが可能となり、手を用いて本体部に開状態を取らせる手間を省くことが可能となる。
【０１４２】
なお、実施形態４に係る取り付け式照明具４は、ローラー部をさらに備える点以外は実施形態２に係る取り付け式照明具２と同様の構成を有するため、実施形態２に係る取り付け式照明具２が有する効果のうち該当する効果をそのまま有する。
【０１４３】
実施形態４に係る歩行用杖５０４は、取り付け式照明具が実施形態２に係る歩行用杖５０２とは異なるが、実施形態２に係る歩行用杖５０２と同様に、本体部１７０が閉状態を取るときには点灯可能状態となり、本体部１７０が開状態を取るときには常に消灯状態となるため、細かいスイッチを操作しなくても本体部自体を開閉することで取り付け式照明具を点灯及び消灯させることが可能となる。
【０１４４】
なお、実施形態４に係る歩行用杖５０４は、取り付け式照明具以外は実施形態２に係る歩行用杖５０２と同様の構成を有するため、実施形態２に係る歩行用杖５０２が有する効果をそのまま有する。
【０１４５】
［実施形態５］
図１１は、実施形態５に係る取り付け式照明具５を説明するために示す図である。図１１（ａ）は閉状態を取る取り付け式照明具５の正面図であり、図１１（ｂ）は開状態を取る取り付け式照明具５の上面図であり、図１１（ｃ）は閉状態を取る取り付け式照明具５の側面図であり、図１１（ｄ）は開状態を取る取り付け式照明具５の側面図である。符号５１０で示す棒状部分は歩行用杖の一部であり、取り付け式照明具５の構成要素ではない。なお、図１１においては、電源部３０の図示は省略する。
【０１４６】
図１２は、実施形態５に係る取り付け式照明具５の細部を説明するために示す図である。図１２（ａ）は本体部１８０の裏面側を示す図であり、図１２（ｂ）は第１基準部１９０が所定の位置に配置されているときの様子を示す図であり、図１２（ｃ）は第１基準部１９０が他の位置に配置されているときの様子を示す図である。なお、図１２（ｂ）及び図１２（ｃ）においては、取り付け部１１の一部、回動部１５及び第１基準部１９０のみを図示している。図１２（ｂ）及び図１２（ｃ）は、図１１（ａ）に相当する視点から見たときの図であり、図１１（ａ）や図１２（ａ）よりも構成要素を大きく表示している。また、図１２（ｂ）及び図１２（ｃ）におけるスライド板１９２の側面に表示する矢印は、スライド板１９２を矢印の方向から押すことで、スライド板１９２をスライド移動させることが可能であることを表すものである。
【０１４７】
実施形態５に係る取り付け式照明具５は、基本的には実施形態３に係る取り付け式照明具３と同様の構成を有するが、本体部の構成及び第１基準部を備えることが実施形態３に係る取り付け式照明具３とは異なる。以下、取り付け式照明具５について、実施形態３に係る取り付け式照明具３との差異点を中心に説明する。
【０１４８】
取り付け式照明具５は、図１１及び図１２に示すように、取り付け部１１と、弾性部材１３と、回動部１５と、本体部１８０と、電源部３１（図示せず。）と、明るさセンサー４０（図示せず。）と、振動センサー４２（図示せず。）と、照明部１３１，１５１（一方側照明部１３１及び他方側照明部１５１）と、第１基準部１９０とを備える。
【０１４９】
取り付け式照明具５における取り付け部１１、弾性部材１３、回動部１５、電源部３１、明るさセンサー４０、振動センサー４２、一方側照明部１３１及び他方側照明部１５１については、多少形状が異なるものもあるが、それぞれ取り付け式照明具３における取り付け部１０、弾性部材１２、回動部１４、電源部３０、明るさセンサー４０、振動センサー４２、一方側照明部１３０及び他方側照明部１５０と同様の機能を有するものであるため、説明を省略する。
【０１５０】
第１基準部１９０は、回動部１５よりも取り付け部１１側に配置されている（図１１（ｃ），図１１（ｄ）参照。）。第１基準部１９０は、スライド板１９２と、接触部１９４とを有する。
スライド板１９２は、スライド移動可能に構成されている。このため、第１基準部１９０は、スライド板１９２のスライド移動により所定の位置（図１２（ｂ）参照。）及び他の位置（図１２（ｃ）参照。）に配置することが可能である。
接触部１９４は、検知部１８６（後述）に接触可能である。詳しくいえば、接触部１９４は、本体部１８０が閉状態を取るという条件と第１基準部１９０が所定の位置に配置されているという条件との両方を満たすときに、検知部１８６と接触してこれを押圧する。接触部１９４は、スライド板１９２から本体部１８０側に向かって突出する凸形状を有する。
【０１５１】
本体部１８０は、取り付け式照明具３の第１本体部１２２、第２本体部１２４、回転軸１２６及び固定機構１２８に対応する第１本体部１２３、第２本体部１２５と、回転軸１２７（図示せず。）及び固定機構１２９（図示せず。）を有する。これらについても、多少形状が異なるものもあるが、取り付け式照明具３のものと同様の機能を有するものであるため、説明を省略する。
【０１５２】
本体部１８０は、図１１（ｃ）、図１１（ｄ）及び図１２（ａ）に示すように、本体部１８０が閉状態を取るときに第１基準部１９０と向かい合う第２基準部１８４をさらに有する。なお、図１１（ｃ）及び図１１（ｄ）では第２基準部１８４そのものは視認できないが、おおよその位置を符号付きの矢印で表示している。
第２基準部１８４は、本体部１８０が閉状態を取るという条件と第１基準部１９０が所定の位置に配置されているという条件との両方を満たすときに第１基準部１９０の接触又は近接を検知する検知部１８６を有する。実施形態１においては、検知部１８６は第１基準部１９０の接触を検知する。検知部１８６は、押しボタンからなる。
検知部１８６が第１基準部の接触を検知したときには、第２基準部１８４が本体部１８０の電気回路を切り替えて、照明部１３１，１５１を点灯可能状態にする。本体部１８０の電気回路を切り替える例としては、検知部１８６が第１基準部の接触を検知していないときは電源部３１と照明部１３１，１５１との間の電気回路を非接続状態にし、検知部１８６が第１基準部の接触を検知したときは電源部３１と照明部１３１，１５１との間の電気回路を接続状態にするスイッチ機構を挙げることができる。
【０１５３】
実施形態５に係る取り付け式照明具は、第１基準部１９０を備え、本体部１８０が第２基準部１８４を有するため、実施形態１において例示した開閉検知機構は備えていない。
【０１５４】
また、本体部１８０は、図１１（ａ）及び図１１（ｂ）に示すように、導光部１８２をさらに有する。導光部１８２は、他方側照明部１５１について、他方側へ向かう光の一部を、一方側とも他方側とも異なる第三方側（図１１（ａ）における紙面に対して垂直な方向）へ導光する。導光部１８２は、他方側照明部１５１の第三方側に形成された長方形のスリットからなる。当該スリットには、他方側照明部１５１における透明カバーの一部が入り込んでいる。
他方側照明部１５１における光源１５３，１５５，１５７（図示せず。）から射出された光の一部は、透明カバー内で反射されたり、拡散されたりするうちに導光部１８２（スリット）内に入り込む。導光部１８２に入り込んだ光は第三方側から射出されるため、点灯時の取り付け式照明具５は、図１１（ａ）で見える側やその裏側から見たときにも目立つものとなる。
【０１５５】
以下、実施形態５に係る取り付け式照明具５の効果を説明する。
【０１５６】
実施形態５に係る取り付け式照明具５は、本体部の構成及び第１基準部を備えることが実施形態３に係る取り付け式照明具３とは異なるが、実施形態３に係る取り付け式照明具３と同様に、本体部１８０が閉状態を取るときには点灯可能状態となり、本体部１８０が開状態を取るときには常に消灯状態となるため、細かいスイッチを操作しなくても本体部自体を開閉することで取り付け式照明具を点灯及び消灯させることが可能となる。
【０１５７】
また、実施形態５に係る取り付け式照明具５によれば、本体部１８０が導光部１８２を有するため、第三方側に導光される光により杖等使用者の位置が一層判りやすくなることから、自動車等の乗員に杖等使用者の存在をより一層認知しやすくさせ、事故が発生する危険性をより一層低減することが可能となる。
【０１５８】
また、実施形態５に係る取り付け式照明具５によれば、第１基準部１９０をさらに備え、本体部１８０は第２基準部１８４をさらに有し、第２基準部１８４は検知部１８６を有し、検知部１８６が第１基準部１９０の接触を検知したときには、第２基準部１８４が本体部１８０の電気回路を切り替えて照明部１３１，１５１を点灯可能状態にするため、細かいスイッチを操作しなくても本体部自体を開閉することで取り付け式照明具を点灯及び消灯させることを、第１基準部と第２基準部との組み合わせという比較的単純な機構で実現することが可能となる。
【０１５９】
また、実施形態５に係る取り付け式照明具５によれば、検知部１８６は押しボタンからなり、第１基準部１９０はスライド板１９２と接触部１９４とを有するため、第１基準部を、本体部の状態に関わらず照明部を消灯状態とするための強制消灯操作部として使用することが可能となり、照明部を点灯させる条件を満たしていても点灯させたくない場合や電力消費を抑えたい場合に、第１基準部を所定の位置から移動させることで、照明部を強制的に消灯させることが可能となる。
【０１６０】
また、実施形態５に係る取り付け式照明具５によれば、第１基準部１９０が本体部１８０とは別の位置に設けられているため、第１基準部を本体部に設ける場合（強制消灯操作部を本体部に設ける場合に相当）よりも、第１基準部の設計上の制限（形状、大きさ等）を緩くして操作容易な形状とすることが可能となる。
【０１６１】
なお、実施形態５に係る取り付け式照明具５は、本体部の構成及び第１基準部を備えること以外は実施形態３に係る取り付け式照明具３と同様の構成を有するため、実施形態３に係る取り付け式照明具３が有する効果のうち該当する効果をそのまま有する。
【０１６２】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【０１６３】
（１）上記各実施形態において記載した取り付け式照明具及び歩行用杖の構成要素の数、材質、形状、位置、大きさ等は例示であり、本発明の効果を損なわない範囲において変更することが可能である。
【０１６４】
（２）上記各実施形態における取り付け式照明具においては、電源部は、電源として充電池を有し、取り付け式照明具は、充電池を充電可能な充電部をさらに備えることが好ましい。このような構成とすることにより、充電部で充電池を充電することによって、電源として通常の乾電池を用いた場合のように、電池切れによって照明部の点灯ができなくなるという事態を防止することが可能となる。
【０１６５】
（３）また、上記（２）の場合においては、充電部は、太陽電池を有することが好ましい。このような構成とすることにより、充電池を簡易に充電することが可能となる。また、太陽電池が発生させる電力を検知することで、太陽電池を明るさセンサーとして用いることが可能となる。
【０１６６】
（４）また、上記（２）の場合においては、充電部は、外部電源から電力を取り入れて充電池を充電することが可能であることも好ましい。このような構成とすることにより、昼夜問わず外部電源を用いて充電池を充電することが可能となる。
【０１６７】
（５）上記各実施形態における取り付け式照明具においては、ブザー音を鳴らすことが可能なスピーカーをさらに備えることが好ましい。このような構成とすることにより、緊急時にブザー音を鳴らして杖等使用者の存在を周囲に知らせることが可能となる。なお、この場合、ブザー音を鳴らすために、取り付け式照明具がブザー用スイッチをさらに備えることが好ましい。
【０１６８】
（６）また、上記（５）の場合においては、取り付け式照明具は、歩行用杖の転倒による振動を検知する転倒検知部をさらに備え、転倒検知部が歩行用杖の転倒を検知したときには、スピーカーからブザー音を鳴らすことが好ましい。このような構成とすることにより、杖等使用者が転倒した場合に、杖等使用者の存在を周囲に知らせることが可能となる。なお、杖等使用者は転倒しておらず、歩行用杖のみが転倒する場合もあるが、この場合においては、ブザー音により歩行用杖の位置を把握しやすくすることが可能となる。転倒検知部は、例えば、一定以上の激しい振動を検知することで歩行用杖の転倒を検知することができる。この場合、振動センサーを転倒検知部として兼用してもよい。
【０１６９】
（７）上記各実施形態においては、明るさセンサー及び振動センサーを用いたが、本発明はこれに限定されるものではない。明るさセンサー及び振動センサーのようなセンサーを備えず、本体部の開閉状態のみで照明部を点灯させ、また消灯させるようにしてもよい。
【０１７０】
（８）上記実施形態１〜４においては、取り付け式照明具は、本体部の状態に関わらず照明部を消灯状態とするための強制消灯操作部をさらに備えることが好ましい。このような構成とすることにより、照明部を点灯させる条件を満たしていても点灯させたくない場合や電力消費を抑えたい場合に、強制消灯操作部により照明部を消灯させることが可能となる。
【０１７１】
（９）上記各実施形態においては、取り付け式照明具の表面に配置される光反射材をさらに備えることとしてもよい。このような構成とすることにより、光を発するだけでなく外部からの光を反射することで自動車等の乗員に杖等使用者の存在をより一層認知しやすくさせ、事故が発生する危険性をより一層低減することが可能となる。
【０１７２】
（１０）上記各実施形態においては、取り付け式照明具の表面に配置される滑り止め材をさらに備えることとしてもよい。このような構成とすることにより、机の天板等に杖を掛けるときにおいて、取り付け式照明具の本体部が滑りにくくなり、一層安定して杖を掛けることが可能となる。
【０１７３】
（１１）上記実施形態１においては、スライド板１９２から本体部１８０側に向かって突出する凸形状を有する接触部１９４を用いたが、本発明はこれに限定されるものではない。平面状の形状を有する接触部を用いてもよい。この場合、第１基準部は、第１基準部が他の位置に配置されているときにおいて、ボタンスイッチと第１基準部との接触を防ぐ接触回避部を有することが好ましい。接触回避部は、例えば、スライド板から本体部とは反対の側に向かって後退する凹形状を有するものとすることができる。
【符号の説明】
【０１７４】
１，２，３，４，５…取り付け式照明具、１０，１１…取り付け部、１３…弾性部材、１４，１５…回動部，２０，７０，１２０，１７０，１８０…本体部、２２，７２…突起部、３０…電源部、５０，８０，１３０，１３１…一方側照明部、５２，５４，５６，６２，８２，８４，８６，１０２，１０４，１０６，１３２，１３４，１３６，１５２，１５４，１５６…光源部、６０，１００，１５０，１５１…他方側照明部、９２，９４，９６，１１２，１１４，１１６，１４２，１４４，１４６…光学素子、１２２，１２３…第１本体部、１２４，１２５…第２本体部、１２６…回転軸、１２８…固定機構、１６２，１６４，１６６…透明カバー、１７２…ローラー部、１８２…導光部、１８４…第２基準部、１８６…ボタンスイッチ、１９０…第１基準部、１９２…スライド板、１９４…接触部、５００，５０２，５０４…歩行用杖、５１０…棒状部分、５２０…握り部分、５３０…石突部分、６００…机の天板、ａｘ１…第１軸、ａｘ２…第２軸
【図１】
2014034716.tif 000003
【図２】
2014034716.tif 000004
【図３】
2014034716.tif 000005
【図４】
2014034716.tif 000006
【図５】
2014034716.tif 000007
【図６】
2014034716.tif 000008
【図７】
2014034716.tif 000009
【図８】
2014034716.tif 000010
【図９】
2014034716.tif 000011
【図１０】
2014034716.tif 000012
【図１１】
2014034716.tif 000013
【図１２】
2014034716.tif 000014
【図１３】
2014034716.tif 000015
【国際調査報告】
2014034716.tif 000016
2014034716.tif 000017